(57)【要約】  本発明は、医用Ｘ線撮像システムの緊急作動に関する。患者内のどこか分からないアイテムを可視化する容易化手法を提供するため、Ｘ線源１４及びＸ線検出器１６を備えたＸ線画像収集装置１２と、制御装置１８と、緊急作動インタフェース装置２２と、表示装置２４とを有する医用Ｘ線撮像システム１０が提供される。Ｘ線源は様々な特性のＸ線ラジエーションを生成するよう構成され、Ｘ線検出器は関心対象物によって少なくとも部分的に減衰された後のＸ線ラジエーションを検出するよう構成される。制御装置はＸ線源によるＸ線ラジエーションの生成を制御し且つ検出されたＸ線ラジエーションから画像データを生成するよう構成される。表示装置は検出されたＸ線ラジエーションを表す画像を表示するよう構成される。緊急作動インタフェース装置は、緊急モードに持ち込まれると関心対象物の最大の可視性のためのＸ線ラジエーションの生成を開始するよう構成される。
2015530203.tif 000002
【特許請求の範囲】
【請求項１】
Ｘ線源及びＸ線検出器を備えたＸ線画像収集装置と、
制御装置と、
緊急作動インタフェース装置と、
表示装置と
を有し、
前記Ｘ線源は、様々な特性のＸ線ラジエーションを生成するように構成され、前記Ｘ線検出器は、関心対象物によって少なくとも部分的に減衰された後の前記Ｘ線ラジエーションを検出するように構成され、
前記制御装置は、前記Ｘ線源による前記Ｘ線ラジエーションの生成を制御するとともに、前記検出されたＸ線ラジエーションから画像データを生成するように構成され、
前記表示装置は、前記検出されたＸ線ラジエーションを表す画像を表示するように構成され、且つ
前記緊急作動インタフェース装置は、緊急モードに持ち込まれると、前記関心対象物の最大の可視性のためのＸ線ラジエーションの生成を開始するように構成される、
医用Ｘ線撮像システム。
【請求項２】
前記最大の可視性のためのＸ線ラジエーションは、前記対象物の内部の装置を読み取るための最大性能に合わせた設定としての緊急設定に関係し、且つ
前記緊急モードにおいては、所定の最大ドーズ値が覆され、ドーズ制限にかかわらずに、システムの最適化されたビューイング能力が可能にされる、
請求項１に記載の撮像システム。
【請求項３】
前記最大の可視性のためのＸ線ラジエーションのパラメータは、
ｉ）  最大Ｘ線ドーズに関する設定、
ｉｉ）  最大フォーカルスポット、及び
ｉｉｉ）  調整された最小の画像処理と組み合わされた所定の程度の高ドーズ
から成る群のうちの少なくとも１つを有する、請求項１又は２に記載の撮像システム。
【請求項４】
前記最大の可視性のためのＸ線ラジエーションの生成は、読み取るべき装置に依存する、請求項１乃至３の何れか一項に記載の撮像システム。
【請求項５】
前記緊急作動インタフェース装置は、
手術台の近傍に設けられる１つ以上の別々のボタン又は複数のボタンの組み合わせ、
当該Ｘ線撮像システムを操作するためのインタフェース上のキー又はキーの組み合わせ、
マイクロフォン装置によって記録され、且つ前記制御装置により提供される音声認識によって検出される音声命令、
ビデオカメラ装置によって記録され、且つ前記制御装置により提供されるジェスチャ認識によって検出されるジェスチャ命令、及び
タッチセンサ式ディスプレイ上の作動エリア、
から成る群のうちの少なくとも１つとして設けられる、請求項１乃至４の何れか一項に記載の撮像システム。
【請求項６】
少なくとも１つの所定の登録状態と無登録状態との間で検出を行い、前記最大の可視性のためのＸ線ラジエーションの生成の前記開始を、検出された登録状態に制限する、ように構成された安全性測定が提供される、請求項１乃至５の何れか一項に記載の撮像システム。
【請求項７】
前記安全性測定は、
パスワード若しくはコード保護、
二人の人物によって入力される必要があるキーの組み合わせ若しくはキーシーケンス、
２つ以上のボタンを同時に押すか作動させるかすること、
スタッフ監視装置によって検出される病院の臨床物理学者の存在、及び
権限ある人物の音声認識、
から成る群のうちの少なくとも１つを有する、請求項６に記載の撮像システム。
【請求項８】
緊急ケースにおいて関心対象物を見るための方法であって、
ａ）  緊急作動インタフェース装置を緊急モードに持ち込むステップと、
ｂ）  関心対象物の最大の可視性のためのＸ線ラジエーションを生成するステップと、
ｃ）  前記関心対象物によって少なくとも部分的に減衰された後の前記Ｘ線ラジエーションを検出するステップと、
ｄ）  前記検出されたＸ線ラジエーションから画像データを生成するステップと、
ｅ）  前記検出されたＸ線ラジエーションを表す画像を表示するステップと、
を有する方法。
【請求項９】
請求項１乃至７の何れか一項に記載の撮像システムを制御するコンピュータプログラムであって、処理ユニットによって実行されるときに、請求項８に記載の方法のステップを実行するように適応されたコンピュータプログラム。
【請求項１０】
請求項９に記載のコンピュータプログラムを格納したコンピュータ読み取り可能媒体。
【発明の詳細な説明】
【技術分野】
【０００１】
本発明は、医用Ｘ線撮像システム、緊急ケースにおいて関心対象物を見る方法、コンピュータプログラム要素、及びコンピュータ読み取り可能媒体に関する。
【背景技術】
【０００２】
例えば最小侵襲インターベンションなどの医療介入において、例えば患者の内部といった、関心対象の内部の現在の活動を監視するためにＸ線撮像が提供され得る。特定の用途において、例えば器質的心疾患を元の状態に戻すために、例えば誘導カテーテル又はガイドワイヤを介して送達され得るステント、クリップ、アンブレラ及びその他のコンポーネントといった装置を血管系の中に導入することができる。血管系内への導入後、故意に、あるいは意図せず、装置が解き放たれて自由になることが起こり得る。これは、外れたアイテムが血流内を望ましくない位置へと漂うこと（血管が（部分的あるいは完全に）塞がれるという結果を伴い得る）を防止するために即座の行動を要し得る。しかしながら、示されていることには、外科医は、血管系内のどこにあるか分からない装置を検出するためにはＸ線撮像システムの操作がかなり複雑になるという状況に直面する。当然ながら、血管系の代わりに、特には管状の系であるその他の有機的組織も、同様の状況をもたらし得る。
【発明の概要】
【発明が解決しようとする課題】
【０００３】
例えば患者などの対象物内のどこにあるか分からないアイテムを可視化するための容易化された手法を提供することが望まれ得る。
【課題を解決するための手段】
【０００４】
本発明の目的は、独立請求項の事項によって達成され、更なる実施形態が従属請求項に組み入れられる。
【０００５】
なお、以下に記載される本発明の態様は、医用Ｘ線撮像システム、緊急ケースにおいて関心対象物を見る方法、コンピュータプログラム要素、及びコンピュータ読み取り可能媒体にも等しくあてはまる。
【０００６】
本発明の一態様によれば、Ｘ線源とＸ線検出器とを備えたＸ線画像収集装置を有する医用Ｘ線撮像システムが提供される。当該装置は更に、制御装置と、緊急作動インタフェース装置と、表示装置とを有する。Ｘ線源は、様々な特性のＸ線ラジエーションを生成するように構成される。Ｘ線検出器は、関心対象物によって少なくとも部分的に減衰された後のＸ線ラジエーションを検出するように構成される。制御装置は、Ｘ線源によるＸ線ラジエーションの生成を制御するように構成される。制御装置はまた、検出されたＸ線ラジエーションから画像データを生成するように構成される。表示装置は、検出されたＸ線ラジエーションを表す画像を表示するように構成される。緊急作動インタフェース装置は、緊急モードに持ち込まれると、関心対象物の最大の可視性のためのＸ線ラジエーションの生成を開始するように構成される。
【０００７】
Ｘ線源は、例えば、回転式の陽極を有するＸ線管、又はカーボンナノチューブ（ＣＮＴ）エミッタを有するＸ線管といった、Ｘ線管とし得る。Ｘ線検出器は、直接的あるいは間接的なＸ線ラジエーションのデジタルＸ線検出器（ＤＸＲとも称される）とし得る。
【０００８】
緊急作動インタフェース装置は、Ｘ線の危機ボタン又は緊急押し具として設けられることができ、それ故に、これは緊急機構（緊急ＥＰＸ、以下ではＥＰＸと称する）との称され得る。ＥＰＸは、どこにあるか分からない装置の最大の可視性に合わせて調整され得る。なお、緊急ケースにおいては、ドーズはあまり重要ではない。主たる着目は、どこにあるか分からない装置の容易且つ早い読み取りに最適化された可視性にある。
【０００９】
装置は、例えば心臓血管介入といった介入手順中に見失われることがあり、該介入は、最大の可視性のためのＸ線ラジエーションの起動のために中断される。装置はまた、既に実装された装置であってもよく、これが、独立に実行される介入手順中に、自由になって血流内で漂い始めることがある。
【００１０】
例示的な一実施形態によれば、最大の可視性のためのＸ線ラジエーションは、対象物の内部の装置を読み取るための最大性能に合わせた設定としての緊急設定に関係する。緊急モードにおいては、所定の最大ドーズ値が覆され、ドーズ制限にかかわらずに、システムの最適化されたビューイング能力（見る能力）が可能にされる。
【００１１】
ドーズ値は、皮膚侵入線量、全線量、及びその他に関係し得る。当然ながら、異なる国で様々である法的に要求されるドーズ制限（異なる国で様々である）が維持管理され得る。
【００１２】
例えば、緊急の状況において、法的に要求される最大ドーズは、特定の充足要件の下で超過されることができる。しばしば、病院物理学者が関与する。“緊急”ドーズレポートを提供することが必要とされることがあり、システムは、面積線量積（dose  area  product；ＤＡＰ）及び空気カーマ（小さい体積の空気がＸ線ビームによって照射されるときに該小さい体積の空気内での入射非荷電ラジエーションの相互作用によって生成される一次電離粒子の初期運動エネルギーを意味する）のような更なるパラメータを有するレポートを生成し、また、アーム角度、アーム位置当たりの線量、秒当たりの放射強度などが記録されてリスト化される。
【００１３】
例示的な一実施形態によれば、最大の可視性のためのＸ線ラジエーションのパラメータは、ｉ）最大Ｘ線ドーズに関する設定、ｉｉ）最大フォーカルスポット、及びｉｉｉ）調整された最小の画像処理と組み合わされた所定の程度の高ドーズ、から成る群のうちの少なくとも１つを有する。
【００１４】
例えば、最大の可視性のための１つの手法は、最大のＸ線強度を供することである。しかしながら、最大の可視性は、最大のＸ線強度以外の他の手段によって得られてもよい。例は、（小さい物体を読み取るための）オートズーム、患者の体格指数（ＢＭＩ）との相関、又は体内での位置（軟組織に対する頭蓋骨、骨）である。基本的に、Ｘ線システム内で調整される全てのパラメータが、例えば、特定の介入手順の所定の設定に応じて、対処されることができる。例えば、神経手術の場合、最大のＸ線ラジエーションの検出を提供するために、心臓血管介入の場合とは異なるパラメータが特定され得る。
【００１５】
例示的な一実施形態によれば、最大の可視性のためのＸ線ラジエーションの生成は、読み取るべき装置に依存する。
【００１６】
最近のＸ線システムは典型的に複数のスクリーン（画面）を含んでいるので、一実施形態において、それらのスクリーンの全てが、医師を支援するために適用され得る。例えば、１つのスクリーン上で原画像が表示され、第２のスクリーン上でズーム画像が表示される。他の一選択肢は、スクリーン当たり１つのデジタル的に強化された画像が表示されるように、検出器データを処理することである。例えば、コントラスト、輝度、及びノイズ低減のようなパラメータが、装置を位置特定することに画像を最適化するために変更され得る。
【００１７】
他の一実施形態において、１つのスクリーンが、装置を位置特定するために最適化された画像を表示する。このスクリーン上に、ポインタがオーバーレイされる。第２のスクリーン上に、組織認識のために最適化された画像が、同じポインタとともに表示される。そうである場合、医師は、装置を位置特定することを支援されながら、外れたアイテムを除去するためのサポート装置に関する誘導方向を有する。
【００１８】
他の一実施形態において、双方の画像が重ね合わされる。
【００１９】
介入の前に、使用される介入の種類、又は使用される複数の異なる種類若しくはモデルが、インタフェースによってシステムに入力される。緊急作動インタフェース装置を作動させるとき、介入装置の種類が考慮される。複数の異なる種類の場合、緊急作動インタフェース装置の作動は、１つ以上の装置又はカテゴリーの選択を有し得る。
【００２０】
例示的な一実施形態によれば、緊急作動インタフェース装置は、手術台の近傍に設けられる１つ以上の別々のボタン又は複数のボタンの組み合わせと、当該Ｘ線撮像システムを操作するためのインタフェース上のキー又はキーの組み合わせと、マイクロフォン装置によって記録され且つ制御装置により提供される音声認識によって検出される音声命令と、ビデオカメラ装置によって記録され且つ制御装置により提供されるジェスチャ認識によって検出されるジェスチャ命令と、タッチセンサ式ディスプレイ上の作動エリアとから成る群のうちの少なくとも１つとして設けられる。
【００２１】
緊急作動インタフェース装置は、例えば、上述のもののうちの１つをタッチするか押すかすることによって、緊急モード又は作動モードに持ち込まれることができる。緊急モード又は作動モードにて、最大の可視性のためのＸ線ラジエーションがトリガーされる。
【００２２】
例示的な一実施形態によれば、少なくとも１つの所定の登録状態と無登録状態との間で検出を行うように構成された安全性測定が提供される。安全性測定は更に、最大の可視性のためのＸ線ラジエーションの生成の開始を、検出された登録状態に制限するように構成される。
【００２３】
安全性測定は、最大の可視性のためのＸ線ラジエーションの意図せぬ作動を防止するために備えられ得る。例えば、ＥＰＸは、緊急の状況においてのみ使用されることができ、これは、安全性測定又は安全性指標によってサポートされ得る。
【００２４】
例示的な一実施形態によれば、安全性測定は、パスワード若しくはコード保護と、二人の人物によって入力される必要があるキーの組み合わせ若しくはキーシーケンスと、２つ以上のボタンを同時に押すか作動させるかすることと、スタッフ監視装置によって検出される病院の臨床物理学者の存在と、権限ある人物の音声認識とから成る群のうちの少なくとも１つを有する。
【００２５】
システムが緊急モードで動作しているときにユーザにフィードバック信号を提供するフィードバック装置が設けられてもよい。フィードバック装置は、音声によるフィードバック要素、視覚的なフィードバック要素、及び触覚によるフィードバック要素から成る群のうちの少なくとも１つを有し得る。
【００２６】
安全性測定は、緊急モードで動作されているときにレポートを生成するプロトコル装置を有していてもよく、レポートは、例えば病院物理学者によってサインされる必要がある。
【００２７】
第２の態様によれば、緊急ケースにおいて関心対象物を見るための方法が提供され、当該方法は、
ａ）  緊急作動インタフェース装置を緊急モードに持ち込むステップと、
ｂ）  関心対象物の最大の可視性のためのＸ線ラジエーションを生成するステップと、
ｃ）  関心対象物によって少なくとも部分的に減衰された後のＸ線ラジエーションを検出するステップと、
ｄ）  検出されたＸ線ラジエーションから画像データを生成するステップと、
ｅ）  検出されたＸ線ラジエーションを表す画像を表示するステップと、
を有する。
【００２８】
本発明の一態様によれば、特別に構成されたインタフェースが提供され、例えば、介入手順中に外科医が、単純に該インタフェースを作動させることで、どこにあるか分からない装置の位置／場所を特定するためにそれぞれが適応された画像収集及び画像提示を開始させることができるようにされる。故に、インタフェースを作動させることにより、最小量の時間での、すなわち、可能な限り早期の装置の検出と装置の回収とを実現するために、装置の最適な可視性のために特別に設定された画像収集が開始される。このような緊急の状況は、特に心臓関連の介入に関して起こり得る。例えば、構造的心臓欠陥及び先天的心臓欠陥を修復することに関し、例えば穴を閉じたり管状構造を拡げたりするための装置が導入される最小侵襲技術を使用することが知られている。そのような装置は、例えば、高分子材料で覆われた自己拡張型メッシュであってもよく、他の例はステントである。特に、メッシュ内で血液の布の形成が起こるように管状の系内の適所に配設される自己拡張型メッシュを用いると、数か月後には埋設物が完全に埋め込まれて内皮化されることが期待される。また、装置の導入手順の他に、装置の最適な位置決めが重要な工程であり、
この工程のために撮像装置が供される。しかしながら、例えば、可視化されることができない組織異常が、装置が適所に置かれた後に、装置が抜け落ち、向きを変え、場合によって血流内を漂い始め得ることを生じさせ得る。浮遊する装置は、組織に深刻な危害を及ぼし得るものであり、最悪の場合、血管を塞いでしまい得る。故に、即座の介入又は応答が必要である。しかし、患者が緊急手術のために手術室に急送される前に、介入心臓医が装置を回収することを試みることがある。例えば、大判シートが、生検カテーテルと組み合わせて、血管系に導入される。装置の位置特定の後、装置がシートに引き入れられて取り出される。この分野に関与する医師によって“悪夢のようなケース”と見なされることがある、先ず患者内の装置を発見しなければならないこのような緊急の状況において、どこにあるか分からない装置の最大の可視化のための作動が、緊急ボタン又は緊急ＥＰＸによって開始される。故に、Ｘ線システムは、どこにあるか分からない装置の緊急回収に関して医師を支援するための最大性能下で動作する。この作動は可能な限りシンプルに提供されるが、通常のケースにおいてＥＰＸが使用されることを防止するために安全性測定が備えられ得る。
【００２９】
本発明のこれら及びその他の態様が、以下に記載される実施形態から明らかになり、また、それら実施形態を参照して説明される。
【図面の簡単な説明】
【００３０】
以下、図面を参照して本発明の例示的な実施形態を説明する。
【図１】医用Ｘ線撮像システムを模式的に示す図である。
【図２Ａ】緊急作動インタフェースの一実施形態を模式的に示す図である。
【図２Ｂ】緊急作動インタフェースの一実施形態を模式的に示す図である。
【図２Ｃ】緊急作動インタフェースの一実施形態を模式的に示す図である。
【図２Ｄ】緊急作動インタフェースの一実施形態を模式的に示す図である。
【図２Ｅ】緊急作動インタフェースの一実施形態を模式的に示す図である。
【図３】緊急ケースにおいて関心対象物を見る方法の基本ステップを示す図である。
【発明を実施するための形態】
【００３１】
図１は、Ｘ線源１４とＸ線検出器１６とを備えたＸ線画像収集装置１２を有する医用Ｘ線撮像システム１０を示している。また、Ｘ線源１４によるＸ線ラジエーション（放射線）の生成を制御するために制御装置１８が備えられている。制御装置１８は更に、検出されたＸ線ラジエーションから画像データを生成するように構成される。また、緊急作動インタフェース装置２２が備えられており、これについてはまた、様々な例における以下の図を参照して更に詳細に説明することとする。さらにまた、表示装置２４が備えられている。Ｘ線源１４は、様々な特性のＸ線ラジエーションを生成するように構成され、Ｘ線検出器１６は、例えば患者テーブルとも称する患者サポート２８上に供される患者２６といった、関心対象物によって少なくとも部分的に減衰された後のＸ線ラジエーションを検出するように構成される。表示装置２４は、検出されたＸ線ラジエーションを表す画像を表示するように構成される。
【００３２】
Ｘ線画像収集装置１２は、図１に示されるように、Ｃアーム構造として設けられることができ、Ｘ線源とＸ線検出器とがＣアームの反対側の端部に搭載され、Ｃアームは支持体（更には図示せず）に可動的に取り付けられる。しかしながら、更なる一例（更には図示せず）によれば、医用Ｘ線撮像システム１０は、固定的に搭載されたＸ線源及びＸ線検出器を備えた固定式のＸ線撮像システムとして提供される。より更なる一例において、医用Ｘ線撮像システムは、例えば回転式のガントリー（更には図示せず）を備えたものなどの、ＣＴシステムとして提供される。
【００３３】
緊急作動インタフェース装置２２は、緊急モードに持ち込まれると、関心対象物の最大の可視性のためのＸ線ラジエーションの生成を始めるように構成される。
【００３４】
最大の可視性のためのＸ線ラジエーションは、例えば患者２６内といった対象物内の装置３０を読み取るための最大性能に合わせた設定としての緊急設定に関係するものである。緊急モードにおいては、所定の最大ドーズ値が覆され、ドーズ制限にかかわらずにシステムがビューイング能力（見る能力）を最適化することを可能にする。なお、最大の可視性のためのＸ線放射パラメータは、最大Ｘ線ドーズに関する設定を有するが、代わりに、あるいは加えて、最大フォーカルスポットに関するパラメータ、及び／又は調整された最小の画像処理と組み合わされた所定の程度の高ドーズを有することもできる。最大の可視性を提供する１つの手法は最大のＸ線強度の供給であるが、最大の可視性はまた、例えば、オートズーム、例えばＢＭＩといった患者の特性との相関、又は体内での位置など、その他の指標によって得られてもよい。特に、最大の可視性のためのＸ線ラジエーションの生成は、読み取る対象である装置に依存し得る。例えば、医療介入の前に、医療介入中に使用される１つ以上の介入装置についてシステムに通知するための入力が提供される。
【００３５】
図２Ａに示すように、手術台２８の近傍に、緊急作動インタフェース装置２２として、１つ以上の別々のボタン又は複数のボタンの組み合わせ３２が設けられ得る。
【００３６】
図２Ｂに示すように、緊急作動インタフェース装置２２として、Ｘ線撮像システムを操作するためのインタフェース３４上の１つのキー又はキーの組み合わせが提供されてもよい。
【００３７】
図２Ｃに示すように、緊急作動インタフェース装置２２として、音声命令を録音するマイクロフォン装置３６が設けられてもよい。録音された音声命令は、例えば、接続線３８により指し示すように、制御装置１８による音声認識によって検出される。音声命令は、音波を表すシンボル４０で指し示している。
【００３８】
図２Ｄに示すように、振っている手を表すシンボル４４で指し示しているジェスチャ命令を記録するビデオカメラ装置４２が設けられてもよく、ジェスチャ命令は、接続線４６により指し示すように、制御装置１８により提供されるジェスチャ認識によって検出される。
【００３９】
図２Ｅに示すように、緊急作動インタフェース装置２２として、タッチセンサ式ディスプレイ４８上の作動エリアが提供されてもよい。
【００４０】
更なる一例（更には図示せず）によれば、少なくとも１つの所定の登録状態と無登録状態との間で検出を行うように構成された安全性測定が提供される。安全性測定は更に、最大の可視性のためのＸ線ラジエーションの生成の開始を、検出された登録状態に制限するように構成される。換言すれば、安全性測定は、最大の可視性のためのＸ線ラジエーションの意図せぬ作動を防止するために備えられる。ＥＰＸは、故に、緊急の状況においてのみ使用されることができ、これは、パスワード若しくはコード保護、二人の人物によって入力される必要があるキーの組み合わせ若しくはキーシーケンス、２つ以上のボタンを同時に押すか作動させるかすること、スタッフ監視装置によって検出される病院の臨床物理学者の存在、及び権限ある人物の音声認識、から成る群のうちの少なくとも１つを有する安全性測定によって提供され得る。
【００４１】
更なる一例（図示せず）によれば、システムが緊急モードで動作しているときにユーザへのフィードバック信号を与えるフィードバック装置が設けられる。例えば、どこにあるか分からない装置の最大の可視性に合わせてシステムが動作していることを指し示すために、音声によるフィードバック要素、視覚的なフィードバック要素、及び／又は触覚によるフィードバック要素が設けられる。
【００４２】
また、緊急モードで動作されているときにレポートを生成するプロトコル装置を、安全性測定の一部とすることができる。
【００４３】
図３は、緊急ケースにおいて関心対象物を見るための方法１００を示しており、この方法は以下のステップを有する。第１のステップ１１０にて、緊急作動インタフェース装置が緊急モードに持ち込まれる。第２のステップ１１２にて、関心対象物の最大の可視性のためのＸ線ラジエーションが生成される。第３のステップ１１４にて、Ｘ線ラジエーションが、関心対象物によって少なくとも部分的に減衰された後に検出される。第４のステップ１１６にて、検出されたＸ線ラジエーションから画像データが生成される。第５のステップ１１８にて、検出されたＸ線ラジエーションを表す画像が表示される。第１のステップ１１０はステップａ）としても参照され、第２のステップ１１２はステップｂ）としても参照され、第３のステップ１１４はステップｃ）としても参照され、第４のステップ１１６はステップｄ）としても参照され、そして、第５のステップ１１８はステップｅ）としても参照される。
【００４４】
更なる一例によれば、緊急作動インタフェース装置は、例えば図２Ａ−２Ｅに示したように、緊急作動インタフェース装置の上述の例のうちの１つを作動させることによって緊急モードに持ち込まれる。
【００４５】
本発明の例示的な他の一実施形態において、以上の実施形態のうちの１つに従った方法の方法ステップを適切なシステム上で実行するように適応されたことを特徴とするコンピュータプログラム又はコンピュータプログラム要素が提供される。
【００４６】
コンピュータプログラム要素は、故に、これまた本発明の一実施形態に一部とし得るコンピュータユニットに格納され得る。このコンピュータユニットは、上述の方法のステップを実行するように、あるいはそれらのステップの実行を含むように適応され得る。また、コンピュータプログラム要素は、上述の装置の構成要素を作動させるように適応されてもよい。コンピュータユニットは、自動的に作動するように、且つ／或いはユーザの命令を実行するように適応され得る。コンピュータプログラムは、データプロセッサの作業メモリにロードされ得る。データプロセッサは斯くして、本発明に係る方法を実行するように装備され得る。
【００４７】
本発明のこの例示的な実施形態は、最初から本発明を使用するコンピュータプログラムと、アップデートによって既存プログラムを、本発明を使用するプログラムへと変化させるコンピュータプログラムとの双方に及ぶ。
【００４８】
さらに、コンピュータプログラム要素は、上述の方法の実施形態の手順を遂行するのに必要な全てのステップを提供することができてもよい。
【００４９】
本発明の例示的な更なる一実施形態によれば、先行セクションに記載したコンピュータプログラム要素を格納した、例えばＣＤ−ＲＯＭなどのコンピュータ読み取り可能媒体が提示される。
【００５０】
コンピュータプログラムは、その他のハードウェアとともに供給されるか、あるいはその一部として供給されるかする例えば光記憶媒体若しくは半導体媒体などの好適な媒体に格納され、且つ／或いはそのような好適な媒体上で配給されてもよいし、例えばインターネット又はその他の有線若しくは無線の通信システムを介してなど、その他の形態で配給されてもよい。
【００５１】
しかしながら、コンピュータプログラムはまた、ワールドワイドウェブのようなネットワーク上に提示されて、そのようなネットワークからデータプロセッサの作業メモリへとダウンロードされてもよい。本発明の例示的な更なる一実施形態によれば、本発明の上述の実施形態のうちの１つに係る方法を実行するように構成されたコンピュータプログラム要素をダウンロードに利用可能にする媒体が提供される。
【００５２】
なお、様々な主題を参照して本発明の実施形態を説明した。特に、一部の実施形態は方法タイプのクレームを参照して説明し、他の実施形態は装置タイプのクレームを参照して説明した。しかしながら、当業者は、上述及び以下の記載から、別のことが告知されていない限り、１つのタイプの主題に属する特徴の組合せだけでなく、相異なる主題に関する特徴間の組み合わせも、本願で開示されていると見なされることを認識するであろう。しかしながら、何れの特徴も、組み合わされて、それらの特徴の単純な和を超える相乗効果をもたらし得る。
【００５３】
図面及び以上の記載にて本発明を詳細に図示して説明してきたが、これらの図示及び説明は、限定的なものではなく、例示的あるいは典型的なものとみなされるべきである。本発明は、開示の実施形態に限定されるものではない。開示の実施形態へのその他の変形が、図面、本開示及び従属請求項の検討から、請求項に係る発明を実施する当業者によって理解されて実現され得る。
【００５４】
請求項において、用語“有する”はその他の要素又はステップを排除するものではなく、不定冠詞“ａ”又は“ａｎ”は複数であることを排除するものではない。単一のプロセッサ若しくはその他のユニットが、請求項に記載される複数のアイテムの機能を果たしてもよい。特定の複数の手段が相互に異なる従属項に記載されているという単なる事実は、それらの手段の組合せが有利に使用され得ないということを指し示すものではない。請求項中の如何なる参照符号も、範囲を限定するものとして解されるべきでない。
【図１】
2015530203.tif 000003
【図２ａ】
2015530203.tif 000004
【図２ｂ】
2015530203.tif 000005
【図２ｃ】
2015530203.tif 000006
【図２ｄ】
2015530203.tif 000007
【図２ｅ】
2015530203.tif 000008
【図３】
2015530203.tif 000009
【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
Ｘ線源及びＸ線検出器を備えたＸ線画像収集装置と、
制御装置と、
緊急作動インタフェース装置と、
表示装置と
を有し、
前記Ｘ線源は、様々な特性のＸ線ラジエーションを生成するように構成され、前記Ｘ線検出器は、関心対象物によって少なくとも部分的に減衰された後の前記Ｘ線ラジエーションを検出するように構成され、
前記制御装置は、前記Ｘ線源による前記Ｘ線ラジエーションの生成を制御するとともに、前記検出されたＸ線ラジエーションから画像データを生成するように構成され、
前記表示装置は、前記検出されたＸ線ラジエーションを表す画像を表示するように構成され、且つ
前記緊急作動インタフェース装置は、緊急モードに持ち込まれるように構成され、前記緊急モードにおいて、所定の最大ドーズ値が覆されて、ドーズ制限にかかわらずに、前記関心対象物内のどこにあるか分からない装置を読み取るための最適化されたビューイング能力が可能にされる、
医用Ｘ線撮像システム。
【請求項２】
最大の可視性のためのＸ線ラジエーションのパラメータは、
ｉ）  最大Ｘ線ドーズに関する設定、
ｉｉ）  最大フォーカルスポット、及び
ｉｉｉ）  調整された最小の画像処理と組み合わされた所定の程度の高ドーズ
から成る群のうちの少なくとも１つを有する、請求項１に記載の撮像システム。
【請求項３】
当該撮像システムは更に、使用される介入装置の種類又はモデルを入力するためのインタフェースを有し、前記緊急モードを作動させるときに前記介入装置の前記種類又はモデルが考慮される、請求項１又は２に記載の撮像システム。
【請求項４】
前記緊急作動インタフェース装置は、
手術台の近傍に設けられる１つ以上の別々のボタン又は複数のボタンの組み合わせ、
当該Ｘ線撮像システムを操作するためのインタフェース上のキー又はキーの組み合わせ、
マイクロフォン装置によって記録され、且つ前記制御装置により提供される音声認識によって検出される音声命令、
ビデオカメラ装置によって記録され、且つ前記制御装置により提供されるジェスチャ認識によって検出されるジェスチャ命令、及び
タッチセンサ式ディスプレイ上の作動エリア、
から成る群のうちの少なくとも１つとして設けられる、請求項１乃至３の何れか一項に記載の撮像システム。
【請求項５】
少なくとも１つの所定の登録状態と無登録状態との間で検出を行い、最大の可視性のためのＸ線ラジエーションの生成の開始を、検出された登録状態に制限する、ように構成された安全性測定が提供される、請求項１乃至４の何れか一項に記載の撮像システム。
【請求項６】
前記安全性測定は、
パスワード若しくはコード保護、
二人の人物によって入力される必要があるキーの組み合わせ若しくはキーシーケンス、
２つ以上のボタンを同時に押すか作動させるかすること、
スタッフ監視装置によって検出される病院の臨床物理学者の存在、及び
権限ある人物の音声認識、
から成る群のうちの少なくとも１つを有する、請求項５に記載の撮像システム。
【請求項７】
緊急ケースにおいて関心対象物を見るための方法であって、
ａ）  緊急作動インタフェース装置を緊急モードに持ち込むステップであり、所定の最大ドーズ値が覆されて、ドーズ制限にかかわらずに、前記関心対象物内のどこにあるか分からない装置を読み取るための最適化されたビューイング能力が可能にされる、ステップと、
ｂ）  Ｘ線ラジエーションを生成するステップと、
ｃ）  前記関心対象物によって少なくとも部分的に減衰された後の前記Ｘ線ラジエーションを検出するステップと、
ｄ）  前記検出されたＸ線ラジエーションから画像データを生成するステップと、
ｅ）  前記検出されたＸ線ラジエーションを表す画像を表示するステップと、
を有する方法。
【請求項８】
請求項１乃至６の何れか一項に記載の撮像システムを制御するコンピュータプログラムであって、処理ユニットによって実行されるときに、請求項７に記載の方法のステップを実行するように適応されたコンピュータプログラム。
【請求項９】
請求項８に記載のコンピュータプログラムを格納したコンピュータ読み取り可能媒体。
【国際調査報告】
2015530203.tif 000010
2015530203.tif 000011